(57)【要約】【課題】  棚板を容易に水平状態及び傾斜状態にできると共に所望の傾斜状態とすることができ、かつ棚板を確実に保持することのできる陳列棚の棚受け具を提供する。【解決手段】  棚受け具５では、後方に位置するホルダ６に対して、前方に位置するアーム７を移動及び回転可能に連結したので、フレームに対して棚受け具を水平状態、傾斜状態の何れの状態にも簡単に取り付けることができ、それにより、棚板を水平状態、傾斜状態にする作業を簡単に行うことができる。また、一つの棚受け具で棚板を様々な状態に支持することができるので、棚板の支持状態に合わせて複数の棚受け具を用意する必要がなく、陳列棚の製造コストを低減することができる。さらに、陳列棚の前後方向に渡って取り付けられる棚受け具５に、棚板をその幅方向に渡って支持する棚受け具を取り付けられるようにしたので、棚板をその下側から確実に支持することができる。【選択図】  図２
2005160949.tif 000002
【特許請求の範囲】
【請求項１】
陳列棚の幅方向両側にて、前後方向に位置する陳列棚のフレーム間にそれぞれ渡設されて、棚板を下側から支持する陳列棚の棚受け具であって、
前記陳列棚の前後に位置するフレームの内、その一方に係合するホルダと、他方に係合するアームとを備え、
前記ホルダに対して、アームが回動可能で、かつその回動中心が少なくとも前記前後方向に移動可能であることを特徴とする陳列棚の棚受け具。
【請求項２】
前記アームには、前記棚板をその幅方向で支持する棚受け部材が取り付けられる棚受け部材取付部が形成されていることを特徴とする請求項１に記載の陳列棚の棚受け具。
【発明の詳細な説明】
【技術分野】
【０００１】
本発明は、陳列棚の棚受け具に関し、詳細には、陳列台の幅方向両側に設けられ、棚板を水平な状態及び傾斜した状態の何れの状態にも支持可能な陳列棚の棚受け具に関する。
【背景技術】
【０００２】
従来から、商品を陳列するための陳列棚において、商品をより見やすくするために、棚板を前下がりに傾斜させてその上に商品を陳列するという方法があり、陳列棚のフレームに対して棚板支持用の棚受け具を前下がりに傾斜した状態で取り付けて、その上に棚板を載置する方法が一般的に採用されている。例えば、特許文献１に示す収納棚では、棚受け具を、棚板の掛止部に係合する係合片と、この係合片の上端前後に設けた一対の爪部とを備えたものとし、通常状態、即ち水平状態では棚板の掛止部を係合片に掛け止めて棚板を水平に支持し、傾斜した状態に支持する場合は、棚板の掛止部を爪部に引っ掛けて、棚板の全体を前下がり傾斜状態で片持ち支持するようにしている。
【特許文献１】特開平１１−８９６４４号公報
【発明の開示】
【発明が解決しようとする課題】
【０００３】
しかしながら、上記のような従来技術では、棚板を片持ち状態で支持しているので、棚板の安定性が悪いという問題があった。また、棚板を傾斜状態に支持する場合は棚板の掛止部を爪部に引っ掛けることになるが、この掛止部及び爪部の形状、または両者の位置関係によって傾斜状態が決まるため、傾斜角度の細かい調整等を行うことができず、所望の傾斜状態を得るのが難しいという問題があった。ここで、例えば、様々な傾斜状態に応じて棚受け具を用意することになると、コストが増大するばかりでなく取り替え作業も非常に煩雑なものとなるので現実的ではない。
【０００４】
本発明は、上記課題を解決するためになされたものであり、棚板を容易に水平状態及び傾斜状態にできると共に所望の傾斜状態とすることができ、かつ棚板を確実に支持することのできる陳列棚の棚受け具を提供することを目的とする。
【課題を解決するための手段】
【０００５】
上記目的を達成するために、請求項１に記載の陳列棚の棚受け具は、陳列棚の幅方向両側にて、前後方向に位置する陳列棚のフレーム間にそれぞれ渡設されて、棚板を下側から支持するものであって、前記陳列棚の前後に位置するフレームの内、その一方に係合するホルダと、他方に係合するアームとを備え、前記ホルダに対して、アームが回動可能で、かつその回動中心が少なくとも前記前後方向に移動可能であることを特徴とする。
【０００６】
また、請求項２に記載の陳列棚の棚受け具では、請求項１に記載の陳列棚の棚受け具の構成に加えて、前記アームには、前記棚板をその幅方向で支持する棚受け部材が取り付けられる棚受け部材取付部が形成されていることを特徴とする。
【発明の効果】
【０００７】
本発明に係る陳列棚の棚受け具は、陳列棚の前後に位置するフレームの内、その一方に係合するホルダと、他方に係合するアームとを備え、前記ホルダに対して、アームが回動可能で、かつその回動中心が少なくとも前記前後方向に移動可能である。これにより、棚受け具によって棚板を水平状態に支持できると共に、ホルダに対してアームを相対的に移動させて回動させれば、棚受け具を全体的に長くすることができ、斜めに傾いた状態でフレームに取り付けることができるので、棚板を傾斜状態に支持することもできる。このとき、ホルダをフレームに係合させたままでアームのみを外して回動させればよいので、棚受け具自体をフレームから外す必要がなく、簡単に水平状態または傾斜状態にすることができる。さらに、アームに形成された棚受け部材取付部に、棚板をその幅方向で支持する棚受け部材を取り付けることにより、棚板を下側から確実に支持することができる。
【発明を実施するための最良の形態】
【０００８】
以下、本発明を具体化した陳列棚の棚受け具の一実施形態について、図を参照して説明する。ここで、本実施の形態の陳列棚は、鉛直方向に延びる４本のフレームに対して、棚板支持用の棚受け具を長方形の枠状に組み付け、その棚受け具上に棚板を載置することで構成されるものである。図１に示すように、陳列棚１は、それぞれ左右（幅）方向に等しい所定間隔を空けて一対の状態で設けられた前側のフレーム２１，２２及び後側のフレーム２３，２４の計４本のフレームを備えている。前側のフレーム２１，２２と後側のフレーム２３，２４とは、各フレームの幅方向間隔よりも狭い間隔をもって前後方向に離間しており、各フレームの前後方向で対向する内側面には、棚板７５を支持するための棚受け具５及び５０が係合する係合穴Ｈが穿設されている。この係合穴Ｈは、上下方向に長手の長方形状であり、上下方向に並んで、所定ピッチを空けて複数個穿設されている。
【０００９】
棚受け具５，５０は、陳列棚１の前後方向に延び、後述するように略同一形状を有しており、陳列棚１の左側に位置する前後のフレーム２１，２３間に棚受け具５０が、右側に位置する前後のフレーム２２，２４間に棚受け具５が、それぞれ各フレームに設けられた係合穴Ｈに係合することで取り付けられるようになっている。さらに、これら棚受け具５，５０の前側端部間に、陳列棚１の幅方向に延びる長尺の前側棚受け部材５１（請求項２における棚受け部材に相当）を取り付け、棚受け具５，５０の後側端部間に、同じく長尺の後側棚受け部材５２（請求項２における棚受け部材に相当）を取り付け、これら左右の棚受け具５，５０及び前後棚受け部材５１，５２で長方形の枠体を形成して、該枠体上に棚板７５を載せることで、陳列棚１が構成されることになる。前後の棚受け部材５１，５２については後述する。
【００１０】
次に図２を参照して、棚受け具５の構造について説明する。尚、図２では、手前から奥行き方向に向かって陳列棚１の前後方向としており、左右方向が陳列棚１の左右（幅）方向となっている。棚受け具５は、陳列棚１の右側に位置する後側フレーム２４に設けられた係合穴Ｈ（図１参照）に係合するホルダ６と、前側のフレーム２２に設けられた係合穴（図示外）に係合するアーム７とから構成されている。ホルダ６は、所定厚を有する略直角二等辺三角形の板状部材で、後側、即ちフレーム２４側に鉛直方向に延びる鉛直部６ａが、上側に水平方向に延びる水平部６ｂがそれぞれ形成されており、この鉛直部６ａと水平部６ｂとの間に直角部が形成されている。また、鉛直部６ａから後方に向かって、フレーム２４に設けられた係合穴Ｈに係合する３つの係合片１１〜１３が突設されている。
【００１１】
係合片１１〜１３は、鉛直部６ａから後方内側に向かって延びた係合片基部１０から上下方向にほぼ等間隔を空けて突設されており、上側に位置する係合片１１，１２は、一旦後方に延びた後下方に向かって延びた略Ｌ字型形状を有し、最下部の係合片１３は、後方に延びたままの略長方形状となっている。係合片基部１０は、鉛直部６ａから一旦内側に向かって延びた後、さらに平面視略Ｌ字型になるように後方に向かって延びており、各係合片１１〜１３は、前後方向に平行な状態で突設されている。加えて、各係合片は、上記した係合穴Ｈの所定ピッチとほぼ等しいピッチを空けて配設されている。また、ホルダ６の水平部６ｂからホルダ６の内側に少し入り込んだ箇所には、この水平部６ｂと平行になるように長円形の貫通孔１５が穿設されている。貫通孔１５は、水平部６ｂよりも短い所定長さに渡って延びており、ここに後述するピンＰが挿入されることにより、ホルダ６とアーム７とが連結されるようになっている。
【００１２】
また、アーム７は、陳列棚１の前後方向に延びる長尺の長方形状となっており、その後側端部にホルダ６と連結される略三角形状の連結部７ａが形成され、前側端部には縮幅された縮幅部７ｂが形成されている。この連結部７ａと縮幅部７ｂとを除く部分は一定幅の定幅部７ｃとなっており、該定幅部７ｃの幅に対して縮幅部７ｂの幅は略半分になっている。また、該縮幅部７ｂの下側縁には、前側のフレーム２２に設けられた係合穴Ｈの周縁部に係合する略長方形状の切り欠き１７が形成されている。さらに、連結部７ａの上側縁には、棚板７５（図１参照）をその後側で幅方向に渡って支持する後側棚受け部材５２が載置されて取り付けられる略長方形状の切り欠き１８（請求項２における棚受け部材取付部に相当）が形成されている。ここで、縮幅部７ｂの上側縁は、切り欠き１８の底部とほぼ同じ高さになるように形成されており、該部分に棚板７５の前側部分を幅方向に渡って支持する後側棚受け部材５１が載置されて取り付けられることになる。即ち、縮幅部７ｂの上側縁もまた棚受け部材５１を取り付けるための箇所であり、請求項２における棚受け部材取付部に相当する。
【００１３】
また、詳しく図示しないが、アーム７の連結部７ａには、ホルダ６とアーム７とを連結するためのピンＰが挿入される貫通孔（図示外）が穿設されている。そして、この貫通孔と、ホルダ６に穿設された長円形の貫通孔１５とを重ね合わせた状態で、両貫通孔にピンＰを挿入し、このピンＰをアーム７の連結部７ａにかしめ固定することによって、ホルダ６とアーム７とが連結されることになる。詳しくは、アーム７に対して外側からホルダ６を重ね合わせて、このホルダ６側からワッシャＷを挟んだ状態でピンＰを上記両貫通孔に挿入する。このとき、ホルダ６の鉛直部６ａから後方内側に向かって延びた係合片基部１０が、アーム７側に延びた状態になるように両部材を重ね合わせる。そして、ピンＰをアーム７の連結部７ａにかしめ固定すれば、ホルダ６に形成された貫通孔１５内で、その長さ方向にピンＰ及びアーム７が移動可能で、かつそのピンＰを中心としてアーム７が回転自在な状態で両部材を連結することができる。このように、貫通孔１５内にてアーム７を移動可能としたことにより、棚受け具５の全長を所定長さだけ上下させられるようになっている。
【００１４】
また、陳列棚１の左側に位置する棚受け具５０は、アーム７を備え、棚受け具５とほぼ同じ構造となっているが、アーム７を回転可能に軸支するホルダの構造が僅かに異なっている。詳しくは、右側に位置する棚受け具５では、そのホルダ６の係合片基部１０が、平面視及び正面視で鉛直部６ａから後方の左側に向かって延びているのに対し、棚受け具５０では、そのホルダ６０の係合片基部１６０が、平面視及び正面視で鉛直部６０ａから後方の右側に向かって延びている。即ち、棚受け具５０は、棚受け具５に対して陳列棚１の幅方向中央に関し面対称形状となっており、ホルダ６０の係合片基部１６０の延出方向以外の構造は棚受け具５と共通している。
【００１５】
次に図３及び図４を参照して、棚受け具５及び５０によって棚板を水平状態及び傾斜状態に支持する方法について説明する。ここで、図３は、陳列棚１において、棚板７５を水平に支持した状態を示す右側側面図であり、図４は、棚板７５を傾斜させて支持した状態を示す同側面図である。図３に示すように、棚板７５を水平状態に支持する場合は、まず、棚受け具５のホルダ６に設けられた係合片１１〜１３を後側のフレーム２４に穿設された隣接する３つの係合穴Ｈに各々係合させ、ホルダ６に設けられた貫通孔１５に対してピンＰ及びアーム７を後方（図中右方向）にスライドさせて、アーム７の縮幅部７ｂに形成された切り欠き１７を係合穴Ｈの下側縁部に係合させる。このとき、アーム７は水平な状態とし、棚受け具５と対向して陳列棚１の左側（図中奥行き側）に位置する棚受け具５０も同様に水平な状態とする。
【００１６】
次いで、アーム７の縮幅部７ｂの上側縁と、図示しない棚受け具５０のアーム７の縮幅部７ｂ上側縁との間に渡って、左右方向（図中奥行き方向）に長尺の前側棚受け部材５１を載置して取り付け、アーム７の連結部７ａの上側縁に形成された切り欠き１８と、図示しない棚受け具５０のアーム７の連結部７ａの上側縁に形成された切り欠き１８との間に渡って、同じく後側棚受け部材５２を載置して取り付けることにより、棚受け具５，５０，５１及び５２で略長方形の枠体を形成し、該枠体上にて棚板７５が水平状態に支持されることになる。
【００１７】
また、棚板７５を傾斜した状態で支持するには、上記の水平状態で棚板７５を支持した時と同様に、まず、棚受け具５のホルダ６に設けられた係合片１１〜１３を後側のフレーム２４に穿設された隣接する３つの係合穴Ｈに各々係合させる。ここで、前後の各フレーム間距離は、上記水平状態のときと同じである。そして、ホルダ６に設けられた貫通孔１５に対してピンＰ及びアーム７を前方（図中左方向）にスライドさせて、アーム７を所定角度だけ前傾させた状態で、その縮幅部７ｂに形成された切り欠き１７を係合穴Ｈの下側縁部に係合させる。そして、水平状態で棚板を支持した時と同様に、棚受け具５及び棚受け具５０のアーム７の縮幅部７ｂの上側縁間に渡って、前側棚受け部材５１を載置して取り付け、棚受け具５及び棚受け具５０のアーム７の連結部７ａの上側縁に形成された切り欠き１８間に渡って、同じく後側棚受け部材５２を載置して取り付けることにより、棚受け具５，５０，５１及び５２で略長方形の枠体を形成し、該枠体上にて棚板７５が傾斜状態に支持されることになる。
【００１８】
また、ホルダ６に対してアーム７を相対的に前後させて、さらにピンＰが取り付けられた箇所を中心に回転させることにより、棚受け具５及び５０を任意の角度に傾斜させて、その上に棚板７５を載置することができる。また、例えば、棚板７５を水平状態から傾斜状態にするような場合には、必要に応じて棚板７５及び棚受け部材５１、５２の何れかを外した後、後側の左右のフレーム２３，２４に棚受け具５及び５０のホルダ６，６０をそれぞれ係合穴Ｈに係合させたまま、アーム７のみを前側の左右のフレーム２１，２２から外して、ホルダ６に対してアーム７を相対的に前方に移動させてさらに回転させれば、棚受け具５，５０を傾斜した状態にフレームに取り付けることができ、簡単に棚板７５を所望の傾斜状態にすることができる。
【００１９】
以上説明したように、本実施の形態の陳列棚の棚受け具５，５０では、後方のフレームに係合して取り付けられる係合部材と、前方のフレームに取り付けられる係合部材とを別体とし、後方に位置するホルダ６，６０に対して、前方に位置するアーム７を移動及び回転可能に連結したので、フレームに対して棚受け具を水平状態、傾斜状態の何れの状態にも簡単に取り付けることができ、それにより、棚板７５を水平状態、傾斜状態にする作業を簡単に行うことができる。また、一つの棚受け具で棚板を様々な状態に支持することができるので、棚板の支持状態に合わせて複数の棚受け具を用意する必要がなく、陳列棚の製造コストを低減することができる。さらに、陳列棚の前後方向に渡って取り付けられる棚受け具５，５０に、棚板をその幅方向に渡って支持する棚受け具を取り付けられるようにしたので、棚板を、長さ方向及び幅方向の何れの方向においても確実に下側から支持することができる。加えて、本実施例で示したように、側面視で、棚板７５がアーム７の定幅部７ｃを超えて上側に出ないようにすれば、棚板７５をその幅方向においても確実にガイドでき、棚板の左右方向への移動を防止することができる。
【００２０】
尚、本発明は上記実施の形態に限られるものではなく各種の変形が可能である。例えば、本実施の形態では、鉛直方向に延びる４本のフレームに対して、その左右に位置する前後一対のフレーム間に棚受け具を設けて構成される陳列棚を例に挙げたが、陳列棚の構造はこれに限られるものではなく、他の構造の陳列棚においても本発明に係る棚受け具を好適に用いることができる。また、ホルダを後側に、アームを前側にそれぞれ配置したが、この配置を逆にしてホルダに対してアームを下方ではなく上方に回転させて棚板を前傾状態に支持するようにしてもよい。さらに、ホルダとアームとの連結構造も本実施の形態で示したものに限られない。
【図面の簡単な説明】
【００２１】
【図１】陳列棚１の斜視図である。
【図２】棚受け具５の斜視図である。
【図３】棚板７５を水平に支持した状態を示す陳列棚１の右側面図である。
【図４】棚板７５を傾斜させて支持した状態を示す陳列棚１の右側面図である。
【符号の説明】
【００２２】
１    陳列棚
５    棚受け具
６    ホルダ
７    アーム
７ｂ    縮幅部（棚受け部材取付部）
１１，１２，１３    係合片
１８    切り欠き（棚受け部材取付部）
２１，２２，２３，２４    フレーム
５０    棚受け具
５１    前側棚受け部材
５２    後側棚受け部材
【図１】
2005160949.tif 000003
【図２】
2005160949.tif 000004
【図３】
2005160949.tif 000005
【図４】
2005160949.tif 000006